(57)【要約】【課題】地震発生時、先ず身を守るため、テーブルの下などに身を隠すのが安全であると指導されている。しかし、テーブルの下には、強烈な揺れに対しては、体を安定に保つための掴むところが少ない。このため地震発生時の強烈な衝撃に対して、体がテーブルの下で安全な姿勢を保つことが出来ず体の損傷を起こしやすい。【解決手段】この発明の対象となるテーブルは、脚と天井板などで構成するテーブルの内側に、人が入れる空間があることが条件である。地震の揺れに対して、テーブルの下に避難した体が、安全な位置を確保するために、テーブルの下部空間の天井などに握り棒や取っ手を取り付ける。【選択図】図１
2011212405.tif 000002
【特許請求の範囲】
【請求項１】
テーブル（日本語で机、作業台、食卓などを言う）（２）の、テーブル（２）の脚（６）や天井板などに囲まれたテーブル下部空間（１）において、この空間の天井（３）に、一人又は複数人数の人が同時に握ることが出来る防災握り棒（手摺、ぶら下がり棒を含む）（４）を一個又は複数個取り付けられているのを特徴とする防災対応テーブル
【請求項２】
テーブル（日本語で机、作業台、食卓などを言う）（２）のテーブル（２）の脚（６）と天井板などに囲まれたテーブル下部空間（１）において、この空間の天井（３）に、一人又は複数人握ることが出来る防災取っ手（７）を単数個又は複数個取り付けたのを特徴とする防災対応テーブル
【請求項３】
テーブル（２）のテーブル下部空間（１）の側面（５）に、一人又は複数の人が同時に握ることが出来る防災握り棒（手摺、ぶら下がり棒を含む）（４）が、一個または複数個取り付けられているのを特徴とする防災対応テーブル
【請求項４】
テーブル下部空間（１）の側面（５）に、一人又は複数の人が同時に握ることが出来る防災取っ手（７）が、一個又は複数個取り付けられているのを特徴とする請求項１に記載の防災対応テーブル
【請求項５】
防災握り棒（４）又は防災取っ手（７）はテーブル（２）を構成する構造体の一部として構成されている請求項１、請求項２、請求項３、又は請求項４のいずれかの項記載の防災対応テーブル
【請求項６】
防災握り棒（４）、若しくは防災取っ手（７）はテーブル（２）の構造体とは別に後で取り着けるのを特徴とする請求項１〜４のいずれかの項記載の防災対応テーブル
【請求項７】
防災握り棒（４）は、若しくは防災取っ手（７）は地震時の揺れや衝撃に耐えられる強さを保持する請求項１〜７のいずれかの項に記載の防災対応テーブル
【請求項８】
防災握り棒（４）、又は防災取っ手（７）、又は防災握り棒（４）と防災取っ手（７）のいずれかが取り付けられている請求項１〜７のいずれかの項記載の防災対応テーブル
【発明の詳細な説明】
【技術分野】
【０００１】  本発明は、地震の防災対応家具に関するものである。
【背景技術】
【０００２】  従来から、大地震の際は、テーブルの下部の空間に身を隠すよう言われている。
【発明の開示】
【発明が解決しようとする課題】
【０００３】  大地震の時はテーブル下部空間１に身を隠すよう言われている。しかし震度が上がるにつれ、テーブル下部空間１における人体の安全な位置の確保は困難である。【０００４】  現代は超高層建物の時代である。しかしながら大地震の時の超高層建物の揺れには大きな横揺れが伴う。この横揺れに対して建物の倒壊防止に対しては研究が進んでいるが、巨大な横揺れに対する居住空間の防備は進んでいない。また、緊急地震速報の精度は上がってきているが速報に対する個々の防備は進んでいない。最も身近にあるテーブルなどが実際の地震に対して十分に思ったより安全効果を発揮しきれない可能性が強い。
【課題を解決する為の手段】
【０００５】  最も身近にあるテーブルも発想の転換によっては防災対応家具に変身することが出来ることに注目した。
本発明が解決しようとする課題は、大地震の時、とっさにテーブル下部空間１に身を避難させ、体の安定化を図り、確実に落下物などから身体を守る点にある。
【０００６】  本発明はテーブル下部空間１に面する天井３、又はテーブル下部空間１の側面５に、防災握り棒４、若しくは防災取っ手７、または防災握り棒４及び防災取っ手７を適宜取り付け、地震発生時にテーブルと体の遊離を防止し、体の損傷の軽減を図るものである。
【０００７】  請求項１にかかる防災対応テーブルは、テーブル下部空間１に面する天井３に防災握り棒４を取り付ける場合である。防災握り棒４はテーブルの下部空間に付ける手摺やぶら下がり棒を含むものとする。
食卓などのテーブルの下部空間はテーブル２の脚６と天井３などで、人の入れる程の空間が構成されている場合が多い。この発明は、テーブル下部空間１の天井３に防災握り棒４を適宜取り付ける。このテーブル下部空間１の大きさによりに、防災握り棒４は単数又は複数個取り付ける。又防災握り棒４は、一人又は複数人数が同時に一つの防災握り棒４を握れる長さのものとする。
【０００８】  請求項２に係る防災対応テーブルは、テーブル下部空間１に面する天井３に、空間の大きさに応じ、一人又は複数の人数が同時に握れる大きさの防災取っ手７を取り付ける。この場合、防災取っ手７の取り付けの数はテーブルの下部空間１の大きさに応じ単数又は複数でもよい。
【０００９】  請求項３に係る防災対応テーブルはテーブル下部空間１に面する側面５に防災握り棒４を単数又は複数個取り付ける。またこの防災にぎり棒４は一人、又は複数の人数が同時に握れるものとする。
【００１０】請求項４に係る防災対応テーブルは、テーブル２の側面５に一人又は複数の人が同時に握ることが出来る防災取っ手７を取り付ける。テーブル２の防災取っ手７を取り付けるテーブル側面の数は複数であっても良い。
【００１１】  請求項５に係る防災対応テーブルは、防災握り棒４又は防災取っ手７は、事前に構造体と一体的に作られている場合のものである。
【００１２】  請求項６に係る防災対応テーブルは、防災握り棒４または防災取っ手７は当初からテーブルの構造体の一部として作られたのではなく、販売前に取り付けるか、又はテーブル２とセットなって販売され購入者が後で取り付ける形態をも含む防災握り棒４、若しくは防災取っ手７である。
【００１３】  請求項７に係る防災対応テーブルは、防災握り棒４、または防災取っ手７は地震の揺れや衝撃に対して十分に対応できる強さを保持している構造となっている。
【００１４】  請求項８に係る防災対応テーブルは、防災握り棒４又は防災取っ手７、若しくは防災握り棒４と防災取っ手７を適宜取り付けるものである。
【発明の効果】
【００１５】  大地震の際、一番重要なことは人間の頭部を守ることである。現代の生活においてはどこに居ても頭上に落下物が溢れている。避難する前にとっさに頭部守ることが大切で、頭部が損傷しては避難もできなくなる。
【００１６】  幸い洋風化に伴い、テーブル（食卓、作業台、机など）２などが生活空間に多くあり、先ずこの下に入り体の損傷をできるだけ防ぐことである。
大地震の場合は、テーブル自体の移動や、激しい揺れのため、テーブル２と身体との一体化が困難であり、落下物の危険にさらされる。地震が発生すれば、先ずテーブル下部空間１に身を隠すように言われている。しかし実際の激しい揺れの場合はテーブル自体が激しく移動する為、掴むところがないとテーブルと人体が離されてしまう。このため、防災握り棒４、又は防災取っ手７、又は防災握り棒４と防災取っ手７を適宜取り付けることにより、地震の揺れに対して体とテーブルの安定した一体化が図られ、身の安全性を増すことが出来る。
【発明を実施するための最良の形態】
【００１７】  本発明を実施するための最良の形態を部分切り欠き斜視図１により説明する。
図Ｉは、複数の人数が利用する食卓型のテーブル２で、テーブル下部空間１、天井３、脚６などで構成されている。防災握り棒４は一人用又は複数の人が同時に握ることができる長さである。握り棒４はテーブル２の大きさなどの状況に合わせ設置してある。防災握り棒４は強度を保つため、三か所でテーブル下部空間１の天井３に取り付けられている。
【実施例１】
【００１８】  実施例１を図１に基づいて説明する。図１は部分切り欠き斜視図である。食卓用のテーブル２なので、天井部分が広く、テーブル下部空間１も広い。
図１のように、テーブル下部空間１に面した天井３に複数の人数が握れる防災握り棒４を取り付ける。
防災握り棒４の取り付け位置はテーブル２の形や利用勝手によって適宜定めてある。実施例１の防災握り棒４は、一カ所で同時に複数の人が握れる。またこの場合の防災握り棒４は、強度を増すため、三カ所でテーブル２本体に止めてある。
【実施例２】
【００１９】  実施例２は図２に基づいて説明する。図２は部分切り欠き斜視図である。
図２のテーブル２は学習机型で一人用の場合である。天井３、及び机の引きだし側面５に防災握り棒を取り付ける。
【実施例３】
【００２０】  実施例３は図３に基づいて説明する。図３は部分切り欠き斜視図である。
図３のテーブル２は複数の人数用で、テーブル下部空間１に複数の人数が入れる大きさである。防災取っ手７を天井３に二カ所取り付けたものである。
【図面の簡単な説明】
【００２１】
【図１】本発明実施例１の部分切り欠き斜視図
【図２】本発明実施例２の部分切り欠き斜視図
【図３】本発明実施例３の部分切り欠き斜視図
【符号の説明】
【００２２】  １  テーブル下部空間
２  テーブル
３  天井
４  防災握り棒
５  側面
６  脚
７  防災取っ手
【図１】
2011212405.tif 000003
【図２】
2011212405.tif 000004
【図３】
2011212405.tif 000005